(57)【要約】【課題】執務者の位置で快適な環境が得られるようにする。【解決手段】周囲の環境を検知するセンサ部Ｕ１と、任意の設定環境値Ｋ１を書込自在なメモリ部Ｕ２と、センサ部Ｕ１によって検知した実地環境値Ｋ０とメモリ部Ｕ２の設定環境値Ｋ１とを端末コンピュータ２に通信自在な通信接続部Ｕ３とを備えた記録検知体Ｕが、端末コンピュータ２に着脱自在に備えられ、端末コンピュータ２に取り付けられた記録検知体Ｕから受信した実地環境値Ｋ０と設定環境値Ｋ１とを、制御プログラム４Ａに送信する送信手段２Ａが設けられ、環境調整対象エリアＷにおける記録検知体Ｕの位置を割り出す位置決定手段Ｄ１が設けられ、制御プラグラム４Ａは、位置決定手段Ｄ１で割り出した位置に該当する記録検知体Ｕによる実地環境値Ｋ０が設定環境値Ｋ１となるように環境調整装置Ｅを運転制御するように構成してある。【選択図】図２
2012107766.tif 000002
【特許請求の範囲】
【請求項１】
ホストコンピュータに繋がる端末コンピュータが、環境調整対象エリアに備えられ、
前記環境調整対象エリアの環境を調整する環境調整装置が備えられ、
前記環境調整対象エリアの環境調整に係わる設定環境値に基づいて前記環境調整装置を運転制御する制御プログラムが、前記ホストコンピュータに備えられている環境調整システムであって、
周囲の環境を検知するセンサ部と、任意の設定環境値を書込自在なメモリ部と、前記センサ部によって検知した実地環境値と前記メモリ部の設定環境値とを前記端末コンピュータに通信自在な通信接続部とを備えた記録検知体が、前記端末コンピュータに着脱自在に備えられ、
前記端末コンピュータに取り付けられた前記記録検知体から受信した前記実地環境値と設定環境値とを、前記制御プログラムに送信する送信手段が設けられ、
前記環境調整対象エリアにおける前記記録検知体の位置を割り出す位置決定手段が設けられ、
前記制御プラグラムは、前記位置決定手段で割り出した位置に該当する前記記録検知体による実地環境値が前記設定環境値となるように前記環境調整装置を運転制御するように構成してある環境調整システム。
【請求項２】
前記環境調整対象エリアに、複数の環境調整装置が設けてあり、
前記制御プログラムは、複数の環境調整装置の内、前記位置決定手段で割り出した位置に対応する前記環境調整装置を運転制御するように構成してある請求項１に記載の環境調整システム。
【請求項３】
一つの環境調整装置で対応する環境調整対象エリアに、前記記録検知体を取り付けた前記端末コンピュータが複数設けてあり、
各記録検知体には、優先順位を決定する上でのキーワードを前記メモリ部に書き込んであり、
前記制御プログラムは、各記録検知体に記録された前記キーワードを基にして、優先的に取り扱う記録検知体を設定し、当該記録検知体から受信する前記実地環境値と設定環境値とを基にして前記一つの環境調整装置を運転制御するように構成してある請求項１又は２に記載の環境調整システム。
【請求項４】
周囲の環境を検知するセンサ部と、任意の設定環境値を書込自在なメモリ部と、前記センサ部によって検知した実地環境値と前記メモリ部の設定環境値とをコンピュータに通信自在な通信接続部とを備えている記録検知体。
【発明の詳細な説明】
【技術分野】
【０００１】
本発明は、ホストコンピュータに繋がる端末コンピュータが、環境調整対象エリアに備えられ、前記環境調整対象エリアの環境を調整する環境調整装置が備えられ、前記環境調整対象エリアの環境調整に係わる設定環境値に基づいて前記環境調整装置を運転制御する制御プログラムが、前記ホストコンピュータに備えられている環境調整システムに関する。
【背景技術】
【０００２】
従来、この種の環境調整技術を、オフィースビルを例に挙げてシステムの説明をする。
環境調整システムとしては、各居室（環境調整対象エリアの一例）に、室内温度（環境の一例）を調整するエアコン（環境調整装置の一例）が設置されており、このエアコンは、ネットワークに接続されたホストコンピュータによって運転制御できるように構成されている。
また、各居室には、前記ホストコンピュータにネットワークを介して通信自在な端末コンピュータが設置されており、例えば、オフィースワーク等に用いられている。
前記エアコンの運転制御は、例えば、居室の壁等に設置されたリモコンによる測定室内温度が、リモコンから設定した目標空調温度（設定環境値の一例）に達するように前記エアコンを駆動運転させるように実施される（例えば、特許文献１参照）。
尚、本発明に係る環境調整とは、上述の温度調整に限らず、例えば、湿度や照明の明るさや色等の調整も含む。
【先行技術文献】
【特許文献】
【０００３】
【特許文献１】特開２００３−２２７６４４号公報（図１）
【発明の概要】
【発明が解決しようとする課題】
【０００４】
上述した従来の環境調整技術によれば、環境調整のもととなる室内温度は、居室の壁等に設置されたリモコンによって測定される測定室内温度であるから、リモコンの設置位置を標準にした室内空調が図られることになる。
しかしながら、居室内での執務は、壁の近傍に限られるものではなく、例えば、居室の各デスク上に設置された端末コンピュータに向かって実施されることの方が多いから、現実の執務位置と、室内温度測定位置とに隔たりが生じることがある。
室内の温度は、エアコンとの位置関係や空気の流れ等の影響によってバラツキが生じることが多く、室内温度測定位置以外の何れの場所においても目標空調温度を維持することは困難である。
従って、執務位置での温度が、設定した目標空調温度にならないおそれがある。
また、居室内で執務している執務者以外の者が、リモコンによる目標空調温度の設定を行っている場合には、必ずしも執務者の好みの温度に環境調整されないおそれがあり、その場合は、リモコンで目標空調温度を執務者の希望する値に設定し直す手間がかかる。
即ち、従来の環境調整技術によれば、執務者の位置で最適な執務環境が得られ難い問題点がある。
【０００５】
従って、本発明の目的は、上記問題点を解消し、執務者の位置で快適な環境が得られる環境調整技術を提供するところにある。
【課題を解決するための手段】
【０００６】
本発明の第１の特徴構成は、ホストコンピュータに繋がる端末コンピュータが、環境調整対象エリアに備えられ、前記環境調整対象エリアの環境を調整する環境調整装置が備えられ、前記環境調整対象エリアの環境調整に係わる設定環境値に基づいて前記環境調整装置を運転制御する制御プログラムが、前記ホストコンピュータに備えられている環境調整システムであって、周囲の環境を検知するセンサ部と、任意の設定環境値を書込自在なメモリ部と、前記センサ部によって検知した実地環境値と前記メモリ部の設定環境値とを前記端末コンピュータに通信自在な通信接続部とを備えた記録検知体が、前記端末コンピュータに着脱自在に備えられ、前記端末コンピュータに取り付けられた前記記録検知体から受信した前記実地環境値と設定環境値とを、前記制御プログラムに送信する送信手段が設けられ、前記環境調整対象エリアにおける前記記録検知体の位置を割り出す位置決定手段が設けられ、前記制御プラグラムは、前記位置決定手段で割り出した位置に該当する前記記録検知体による実地環境値が前記設定環境値となるように前記環境調整装置を運転制御するように構成してあるところにある。
【０００７】
本発明の第１の特徴構成によれば、前記センサ部と前記メモリ部と前記通信接続部とを備えた前記記録検知体を、端末コンピュータに着脱自在に設けてあるから、端末コンピュータに前記記録検知体を取り付けて、前記センサ部でその周囲の環境を検知して、端末コンピュータに通信することができる。更には、前記メモリ部に、例えば、執務者の好みの設定環境値を書き込んでおいて、その設定環境値も端末コンピュータに通信することができる。
即ち、前記記録検知体によって、執務位置に極めて近い位置での環境を実地環境値として検知して、その結果を端末コンピュータからホストコンピュータの制御プログラムに送り、環境調整装置の運転制御に反映させることができる。
更には、記録検知体によって、執務者が予め記録しておいた好みの設定環境値も、端末コンピュータからホストコンピュータの制御プログラムに送り、環境調整装置の運転制御に反映させることができる。
また、前記制御プログラムによれば、位置検出手段によって割り出した環境調整対象エリア内の記録検知体で検知する実地環境値が、前記設定環境値となるように環境調整装置を運転制御できる。
従って、執務者は、専用の記録検知体を、執務する端末コンピュータに取り付けることで、その執務者の位置で執務者の好みに合った快適な環境が得られるように、前記環境調整装置が運転制御される。
【０００８】
本発明の第２の特徴構成は、前記環境調整対象エリアに、複数の環境調整装置が設けてあり、前記制御プログラムは、複数の環境調整装置の内、前記位置決定手段で割り出した位置に対応する前記環境調整装置を運転制御するように構成してあるところにある。
【０００９】
本発明の第２の特徴構成によれば、前記制御プログラムによって、環境調整対象エリアの複数の環境調整装置の内、位置決定手段で割り出した位置に対応する環境調整装置を運転制御でき、極めて効率よく目的の位置を快適な環境に調整することができる。
【００１０】
本発明の第３の特徴構成は、一つの環境調整装置で対応する環境調整対象エリアに、前記記録検知体を取り付けた前記端末コンピュータが複数設けてあり、各記録検知体には、優先順位を決定する上でのキーワードを前記メモリ部に書き込んであり、前記制御プログラムは、各記録検知体に記録された前記キーワードを基にして、優先的に取り扱う記録検知体を設定し、当該記録検知体から受信する前記実地環境値と設定環境値とを基にして前記一つの環境調整装置を運転制御するように構成してあるところにある。
【００１１】
一つの環境調整装置で対応する環境調整対象エリアに、前記記録検知体を取り付けた前記端末コンピュータが複数設けてある場合、制御対象の環境調整装置への提供情報を何れか一つの記録検知体のものに統一する必要がある。
本発明の第３の特徴構成によれば、予め、優先順位を決定する上でのキーワードを、記録検知体のメモリ部に書き込んであるから、制御プログラムは、各記録検知体のキーワードを基にして、優先的に取り扱う記録検知体を設定でき、制御をスムーズに実施することができる。
因みに、前記キーワードの一例を示すと、役職、性別、年齢、病歴等の事項が挙げられ、制御プログラムによる優先的に取り扱う設定基準の一例としては次のようなものが例として挙げられる。
例えば、前記キーワードが役職に係わるものの場合は、役職の上の執務者を優先的に取り扱ったり、キーワードが性別の場合は、女性の執務者を優先的に取り扱ったり、キーワードが年齢の場合は、年齢が上の執務者を優先的に取り扱ったり、キーワードが病歴の場合は、病気の治癒からの経過時間が短い執務者を優先的に取り扱う等の方法が挙げられる。このようなルールに関しては、適宜、設定することができる。
【００１２】
本発明の第４の特徴構成は、周囲の環境を検知するセンサ部と、任意の設定環境値を書込自在なメモリ部と、前記センサ部によって検知した実地環境値と前記メモリ部の設定環境値とをコンピュータに通信自在な通信接続部とを備えているところにある。
【００１３】
本発明の第４の特徴構成によれば、前記センサ部と前記メモリ部と前記通信接続部とを前記記録検知体に設けてあるから、端末コンピュータに前記記録検知体を取り付けて、前記センサ部でその周囲の環境を実地環境値として検知し、端末コンピュータに通信することができる。更には、前記メモリ部に、例えば、執務者の好みの設定環境値を書き込んでおいて、その設定環境値も端末コンピュータに通信することができる。
その結果、前記実地環境値や設定環境値を、端末コンピュータからホストコンピュータの制御プログラムに送り、記録検知体を取り付けた端末コンピュータの周囲環境を、快適な状態に保つことが可能となる。
【図面の簡単な説明】
【００１４】
【図１】空気調整システムの概念図
【図２】空気調整システムの概念図
【図３】別実施形態の空気調整システムの概念図
【発明を実施するための形態】
【００１５】
以下に本発明の実施の形態を図面に基づいて説明する。
【００１６】
図１は、本発明の環境調整システムの一実施形態である空気調整システムＳを示すものである。
空気調整システムＳは、ワーキングエリア（環境調整対象エリアの一例）Ｗに、エアコン機（環境調整装置の一例）Ｅを設置して、前記ワーキングエリアＷの空気調和を図れるように構成されている。
前記ワーキングエリアＷ内には、複数のデスク１が設置してあり、各デスク１に端末コンピュータ２が配備されている。
前記端末コンピュータ２は、ネットワーク３を介してホストコンピュータ４と通信自在に構成されている。
一方、前記エアコン機Ｅも、前記ネットワーク３を介して前記ホストコンピュータ４に接続してあり、前記ホストコンピュータ４からの運転制御によってコントロールされている。
前記エアコン機Ｅは、当該実施形態においては、ワーキングエリアＷ内を二つのエリアＷ１，Ｗ２に分けて、それぞれのエリアＷ１，Ｗ２に各別に設置してある。
第１エアコン機Ｅ１は、図中の第１ワーキングエリアＷ１を、第２エアコン機Ｅ２は、図中の第２ワーキングエリアＷ２をそれぞれ対象として空気調和を図るように構成してある。
また、両ワーキングエリアＷ１，Ｗ２には、それぞれ複数のデスク１、及び、端末コンピュータ２が設置されている。
【００１７】
前記エアコン機Ｅの運転制御は、図２に示すように、前記ホストコンピュータ４に備えた制御プログラム４Ａによって実施される。具体的には、端末コンピュータ２から送られてくるワーキングエリアＷの検知温度（実地環境値の一例）Ｋ０と、空気調和を図りたい設定温度（設定環境値の一例）Ｋ１とに基づいて、前記検知温度Ｋ０が設定温度Ｋ１となるように前記制御プログラム４Ａは、エアコン機Ｅを運転制御するものである。
【００１８】
前記端末コンピュータ２には、ＵＳＢ端子２ａが設けてあり、このＵＳＢ端子２ａには、ＵＳＢメモリー（メモリ部の一例）Ｕ２を備えた記録検知体Ｕが着脱自在な状態で取り付けてある。
前記記録検知体Ｕは、周囲の検知温度Ｋ０を検知するセンサ部Ｕ１と、任意の設定温度Ｋ１を書込自在なＵＳＢメモリーＵ２と、前記センサ部Ｕ１の検知温度Ｋ０と前記メモリ部Ｕ２の設定温度Ｋ１とを前記端末コンピュータ２に通信自在なＵＳＢ端子（通信接続部の一例）Ｕ３とを備えて構成されている。
前記ＵＳＢ端子Ｕ３を、前記端末コンピュータ２のＵＳＢ端子２ａに取り付けることで、前記記録検知体Ｕに必要な電気が端末コンピュータ２から供給される。また、前記センサ部Ｕ１で検知する検知温度Ｋ０と、前記ＵＳＢメモリーＵ２に書き込んだ設定温度Ｋ１とのデータは、前記端末コンピュータ２で受信することができる。
【００１９】
一方、端末コンピュータ２には、ＵＳＢ端子２ａに取り付けられた前記記録検知体Ｕから受信する前記設定温度Ｋ１と検知温度Ｋ０とのデータを、端末コンピュータ２のＩＤナンバーＮ１と共に前記ホストコンピュータ４の前記制御プログラム４Ａに送信する送信プログラム（送信手段に相当）２Ａが設けてある。
【００２０】
前記ホストコンピュータ４には、前記各端末コンピュータ２のＩＤナンバーＮ１と、その端末コンピュータ２の設置位置に対応するエアコン機ＥのＩＤナンバーＮ２とを関連付けて記録してある第１データベース（位置決定手段の一例）Ｄ１が設けてある。
前記制御プログラム４Ａは、記録検知体Ｕを取り付けた端末コンピュータ２から送信された検知温度Ｋ０と、設定温度Ｋ１と、端末コンピュータ２のＩＤナンバーＮ１とを元にして、前記第１データベースＤ１から、前記端末コンピュータ２に対応するエアコン機Ｅを割り出して、そのエアコン機Ｅに対して、前記検知温度Ｋ０が前記設定温度Ｋ１となるように運転制御を実施する。
【００２１】
本実施形態の空気調整システムＳによれば、端末コンピュータ２を使用して執務する執務者が、予め自己の好みの設定温度Ｋ１を書き込んでおいた記録検知体Ｕを、該当する端末コンピュータ２に取り付けるだけで、その記録検知体Ｕで検知された周囲環境の検知温度Ｋ０と、前記設定温度Ｋ１と、端末コンピュータ２のＩＤナンバーＮ１とがネットワークを通じてホストコンピュータ４に送信され、前記端末コンピュータ２の周囲環境が、設定温度Ｋ１になるように制御プログラム４Ａが該当するエアコン機Ｅを運転制御することができる。
従って、執務する位置を変えても、使用する端末コンピュータ２に自分の記録検知体Ｕを取り付ければ、その執務する位置の環境を、自分の好みの設定温度に制御することができる。
【００２２】
〔別実施形態〕
以下に他の実施の形態を説明する。
【００２３】
〈１〉  前記実地環境値や設定環境値は、先の実施形態で説明した温度に限るものではなく、例えば、湿度や照度の何れか、又は、温度や湿度や照度の内の複数又は全てであってもよい。
従って、それに伴って、記録検知体Ｕには、センサ部として、検知温度や検知湿度や検知照度を検知するセンサ部Ｕ１を夫々設けるものであってもよい。
また、メモリ部Ｕ２には、設定温度や設定湿度や設定照度を夫々書き込めるようにしてあってもよい。
また、環境調整装置Ｅとしては、エアコン機の他、加湿器や照明器等であってもよい。
更には、環境調整装置Ｅは、先の実施形態で説明したようにワーキングエリアにのみ設けられることに限らず、例えば、環境調整装置Ｅの本体は、ワーキングエリアとは別の（例えば、機械室）位置に設けられて、環境調整装置Ｅの作用部をワーキングエリアに設けてある構成も可能である。
〈２〉  記録検知体Ｕは、先の実施形態で説明したＵＳＢ端子に取り付けるように構成されたものに限らず、他のインターフェースを介して端末コンピュータ２に通信接続できるように構成してあってもよい。
〈３〉  環境調整システムＳは、先の実施形態で説明したように、環境調整対象エリアＷに、複数の環境調整装置Ｅが設けてある構成に限らず、例えば、単一の環境調整装置Ｅが設けてあるものであってもよい。
また、一つの環境調整装置Ｅで対応する環境調整対象エリアＷに、前記記録検知体Ｕを取り付けた前記端末コンピュータ２が複数設けてある構成に限らず、単一の端末コンピュータ２が設けてあるものであってもよい。
〈４〉  環境調整システムＳは、一つの環境調整装置Ｅで対応する環境調整対象エリアＷに、前記記録検知体Ｕを取り付けた前記端末コンピュータ２が複数設けてある場合、例えば、図３に示すように、各記録検知体Ｕには、優先順位を決定する上でのキーワード（例えば、役職、性別、年齢、病歴等の事項）１０を前記メモリ部Ｕ２に書き込んでおき、前記制御プログラム４Ａは、各記録検知体Ｕα、Ｕβ、Ｕγに記録された前記キーワード１０のデータα、β、γを基にして、最優先の記録検知体Ｕαを設定し、最優先の記録検知体Ｕαから受信する前記設定環境値Ｋ１と実地環境値Ｋ０とを基にして前記一つの環境調整装置Ｅを運転制御するように構成してあってもよい。
〈５〉  位置決定手段Ｄ１は、先の実施形態で説明したように、記録検知体Ｕを取り付けた端末コンピュータ２のＩＤナンバーＮ１と、その端末コンピュータ２の設置位置に対応する環境調整装置ＥのＩＤナンバーＮ２との関連から、前記環境調整対象エリアＷにおける前記記録検知体Ｕの位置を割り出すものに限るものではない。
例えば、記録検知体Ｕを取り付けた端末コンピュータ２のネットワーク３への接続に係わるナンバー（例えば、ハブのＩＤナンバーや、無線の場合はアクセスポイントのＩＤナンバー）等で記録検知体Ｕの位置を検出するものであったり、記録検知体Ｕに自らの位置情報を発信する発信機構を備えさせ、その発信信号を受けて記録検知体Ｕの位置を決定するものであってもよい。
【００２４】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２５】
２      端末コンピュータ
２Ａ    送信プログラム（送信手段に相当）
４      ホストコンピュータ
４Ａ    制御プログラム
１０    キーワード（例えば、役職、性別、年齢、病歴等の事項）
Ｄ１    第１データベース（位置決定手段の一例）
Ｅ      エアコン機（環境調整装置の一例）
Ｋ０    検知温度（実地環境値の一例）
Ｋ１    設定温度（設定環境値の一例）
Ｕ      記録検知体
Ｕ１    センサ部
Ｕ２    ＵＳＢメモリー（メモリ部の一例）
Ｕ３    ＵＳＢ端子（通信接続部の一例）
Ｗ      ワーキングエリア（環境調整対象エリアの一例）
【図１】
2012107766.tif 000003
【図２】
2012107766.tif 000004
【図３】
2012107766.tif 000005